(57)【要約】【課題】  肌が直接便座に触れないために、便座の上に置いたトイレットペーパー等を固定する、ホルダーを提供する。【解決手段】  ホルダーＡとホルダーＢからなるホルダーで、例えばホルダーＡには磁石部を、ホルダーＢには鉄粉や磁石が吸い付く金属部を設け、ホルダーＡとホルダーＢの間にトイレットペーパー等を挟み、磁石の力でトイレットペーパーを挟むようにして固定することにより、便座の上に置いたトイレットペーパーがずり落ちないようにすることを特徴とする。  あるいは凹部とツメや弾力材を有するホルダーを便座上面に固着または嵌着させ、トイレットペーパーをツメに挟むことによりトイレットペーパーが便座からずり落ちないようにしたことを特徴とする。【選択図】図８
2008029807.tif 000002
【特許請求の範囲】
【請求項１】
便座の外側の側面に固着したホルダーＡと、留め具材を介して前記ホルダーＡに対して着脱自在となるホルダーＢの二枚のホルダーから構成されるホルダーで、前記ホルダーに設けた留め具材で前記ホルダーＡと前記ホルダーＢの間に挟んだ紙片等が着脱自在になる前記ホルダー、および前記ホルダーをあらかじめ装着した便座。
【請求項２】
便座の外側の側面に固着させる面と紙片等を挿入できる凹部とツメから構成されるホルダーで、前記凹部に挿入した紙片等が着脱自在になる前記ホルダー、および前記ホルダーをあらかじめ装着した便座。
【請求項３】
便座の外側の側面に固着させる面と紙片等を挿入できる凹部と凹部に挿入した弾力材から構成されるホルダーで、前記凹部に挿入した紙片等が着脱自在になる前記ホルダー、および前記ホルダーをあらかじめ装着した便座。
【請求項４】
粘着具剤を塗布した面と便座の外側の側面に固着させる面から構成されるホルダーで、前記粘着具剤塗布面に紙片等が着脱自在になる前記ホルダーおよび前記ホルダーをあらかじめ装着した便座。
【請求項５】
紙片等を挿入できる凹部とツメから構成されるホルダーで、前記凹部に挿入した紙片等が着脱自在になる前記ホルダーをあらかじめ便座上面嵌着させた便座。
【請求項６】
紙片等を挿入できる凹部と凹部に挿入した弾力材から構成されるホルダーで、前記凹部に挿入した紙片等が着脱自在になる前記ホルダーをあらかじめ便座上面嵌着させた便座。
【発明の詳細な説明】
【技術分野】
【０００１】  本発明は、洋式トイレの使用時に便座に直接肌が触れないようにするために便座上に置いた紙片等（以後トイレットペーパーという）が便座からずれ落ちないように保持したり、あるいは容易に当該トイレットペーパーを当該便座から剥ぎ取ることができるようにした便座に固着させるホルダー、および当該ホルダーをあらかじめ装着した便座に関するものである。
【背景技術】
【０００２】  従来、便座に直接肌が触れないようにするために、便座の形（概半円形）にカットした「便座シート」等の商品名で市販されているいわゆる便座シートを別途準備しておくか、便座に直接肌が触れても清潔感を出すために便座除菌クリーナー等で便座を拭いてから便座に座ることを慫慂する、といったことが行われていた。
これらは便座を覆うために特別な紙（シート）を別途備え置くとか、便座をシートで覆わない代わりに便座をクリーナーで除菌するためのクリーナー等を備え置く必要があった。
上記「便座シート」は便座から容易にずれ落ちたりするので使い勝手が悪かった。また除菌クリーナーは水分を含んだものが多く、拭いた便座には水分が残り、たとえ除菌したとしても直接肌に触れると冷たく感じるなど、ここでも使い勝手が悪いものであった。
また、「便座シート」やクリーナーはトイレ使用時に必須のものではないため、いわゆる品切れになっていていざ使用するときに使用できないことが頻発していた。【０００３】  一方、上述したホルダーに関するものでは、下記特許文献１（以後文献１等という）にあるように、便器の蓋に便座の形状に形成した便座シートホルダーを設けようとするもの、文献２にみるように、便座に孔を設け当該孔からトイレットペーパー等を吸引することで便座上のシートがずり落ちないようにしようとしたもの、また文献３では便座上に置いたトイレットペーパー等がずり落ちないようにガイドを便座や便器蓋等に設けようとしたもの、さらに文献４では便座の裏側に留め具材を挟み込み当該留め具材で便座上のトイレットペーパーを固定しようとしたもの、等の発明が知られている。
【特許文献１】  特開平１１−３０９０８７
【特許文献２】  特許公開２００３−１８０５６４
【特許文献３】  特許公開２００３−３０４９８８
【特許文献４】  特開２００５−１１８５１６
【発明の開示】
【発明が解決しようとする課題】
【０００４】  便座上において肌が直接便座に触れないようにするためのものを、以後「便座シート」とよぶことにする。
便座シートが便座からずり落ちないようにするためのホルダーに関しては、その便座シートを便座の形状に加工したものを使用することを前提にしており、備え付けのトイレットペーパー等便座の形状に加工していない紙片等を便座シートとして使用するためのホルダーとしては、（０００３）の文献４がある。【０００５】  （０００３）の文献４のシート留め具材はそれなりに有用と思われるが、便座と便器の大きさはほとんど同じで、便座の裏側には留め具材を固定するスペースは殆どなく、従って当該留め具材の大きさは制限されること、すなわち小さなものになり使い勝手が悪くなること、またスペースが十分でないため、留め具材の開口部分が小さくなるため僅かなスペースのところに便座シートやトイレットペーパーを挟みこむ作業は、実際にトイレをするときには面倒で煩わしくなり実用的ではない。
本発明は、これらの問題点を解決するためになされたものである。
【課題を解決するための手段】
【０００６】  本発明のホルダーの形状としては、図１の（Ａ）および（Ｂ）に示すように一つの小片からなり、当該小片の慨中央部分で谷折されることによりホルダーＡ２とホルダーＢ３が形成されることを特徴とするもの（以後この形状のものを「一枚型ホルダー」という）と、図３の（Ａ）および（Ｂ）に示すように、ホルダーＡ２およびホルダーＢ３はそれぞれ別々の小片からなり、当該ホルダーＡ２および当該ホルダーＢ３は、その素材を特定しないが比較的柔らかで容易に破損しない紐或いはベルト１２、などで連結されていることを特徴とするもの（以後この形状のものを「連結型ホルダー」という）、が考えられる。
このようにホルダーＡ２とホルダーＢ３とからなるホルダーを総称して、「ホルダー１」ということにする。従って本稿においては「ホルダー」に関して、「一枚型ホルダー１」と「連結型ホルダー１」とこれらを総称した「ホルダー１」の三つの表現方法を用いるものとする。
上記「ホルダー」に関し請求項１は、便座の外側の側面に固着させて、ホルダーＡ２とホルダーＢ３とを「開閉」させることにより後述する目的を達成しようとするものである。（（０００７）〜（００１３）で記述）
請求項２は、便座の外側の側面に固着させるものの、凹部２７とツメ２９を設けたホルダー（ツメホルダー３０という）で、当該凹部２７にトイレットペーパー１４等を挿入することにより当該トイレットペーパー１４を一時的に固定的に保持しようとするものである。（（００１４）に記述）
請求項３は、便座の外側の側面に固着させるものの、請求項の２にツメ２９の代わりに凹部２７内にスポンジ等の弾力材を入れたホルダー（スポンジホルダー３８という）で、当該凹部２７にトイレットペーパー１４等を挿入することにより当該トイレットペーパー１４を一時的に固定的に保持しようとするものである。（（００１５）に記述）
請求項４は、図１２に示す「粘着具材部」を有する「ホルダー」で、便座の外側の側面に固着させて使用するものの、「開閉」により目的を達するものでなく、粘着手段により後述する目的を達成しようとするものである。（（００１６）に記述）
請求項５は、便座の外側の側面ではなく便座の上面に請求項２で述べたツメホルダー３０を嵌入させることにより嵌着させ、後述する目的を達しようとするものである。（（００１７）に記述）
最後に請求項６は、便座の外側の側面ではなく便座の上面に請求項３で述べたスポンジホルダー３０を嵌入させることにより嵌着させ、後述する目的を達しようとするものである。（（００１８）に記述）
また、本稿での「前」「後」「上」「下」等の表現は図面に基づくものとする。【０００７】  先ず留め具材として磁石を用いた一枚型ホルダー１について述べる。
図１の（Ａ）は磁石を用いた一枚型ホルダー１の構成分離斜視図である。図１の（Ａ）に示すように一枚型ホルダー１は、一つの小片からなり、当該小片の慨中央部分で谷折されることによりホルダーＡ２とホルダーＢ３が形成される。
当該小片はプラスチックや布あるいは紙などその素材を特定しないが、容易に破損しないものからなっている。
当該ホルダーＡ２におけるホルダーＡ前面４の適宜な場所に適宜な大きさの磁石８を固着させる。一方、当該ホルダーＡ２と当該ホルダーＢ３を折りたたんで合わせた時、当該ホルダーＡ２の当該磁石８に概対向するホルダーＢ前面６の位置に磁石が吸い付くもの、例えば金属片９を固着させておく。金属片９にかえて鉄粉あるいは磁石等を用いてもよい。また、当該ホルダーＡ２部分に当該金属片９を、当該ホルダーＢ３部分に他の磁石を固着させてもよい。
ホルダーＢ背面７には、取っ手２０を設けておくが、これは任意でもよい。当該取っ手２０は、吸い付いた当該ホルダーＡ２と当該ホルダーＢ３が容易にひらけるようにするためのものである。
ホルダーＡ背面５は、便座１８に固着される部分である。
以上のような構造の磁石を用いた一枚型ホルダー１の完成斜視図が図１の（Ｂ）である。また図２の（Ａ）はその側面図で、（Ｂ）は便座へ装着した状況を示す側面図である。【０００８】  次に、留め具材として磁石を用いた連結型ホルダー１について述べる。
図３の（Ａ）は、磁石を用いた連結型ホルダー１の構成分離斜視図である。
ホルダーＡ２およびホルダーＢ３の素材は特定しないが、例えばプラスチックや布あるいは紙などで、容易に破損しないものからなっている。
当該ホルダーＡ２と当該ホルダーＢ３は分離されているが、布、プラスチック、紙など比較的柔らかで容易に破損しない適宜な素材よりなるベルト１２で連結されている。ベルト１２は図３の（Ａ）のように二本の細い紐や帯状のものであってもよく、また図は省略するが、当該ベルト１２は、一枚の帯状もの等であってもよい。
さらにはプラスチックや布あるいは紙などその素材を特定しないが、容易に破損しないものの小片上に、ホルダーＡ２とホルダーＢ３とを適宜な間隔を置いて固着させてもよい。
以上のような構造の当該ホルダーＡ２における当該ホルダーＡ前面４の適宜な場所に適宜な大きさの磁石８を固着させる。一方、当該ホルダーＡ２と当該ホルダーＢ３を折りたたんで合わせた時、ホルダーＡ２の当該磁石８に概対向するホルダーＢ前面６の位置に磁石が吸い付くもの、例えば金属片９を固着させておく。当該金属片９にかえて鉄粉や磁石等を用いてもよい。
ホルダーＢ背面７には、取っ手２０を設けておくが、これは任意でもよい。当該取っ手２０は吸い付いた当該ホルダーＡ２と当該ホルダーＢ３が容易に開けるようにするためのものである。
ホルダーＡ背面５は、便座１８に固着される部分である。
以上のような構造の磁石８を用いた連結型ホルダーの図３の（Ｂ）は完成斜視図である。また図４の（Ａ）はその側面図で、（Ｂ）は便座へ装着した状況を示す側面図である。【０００９】  一枚型ホルダーと連結型ホルダーの構造の相違は、図１の（Ｂ）および図３の（Ｂ）で明らかなように、一枚型ホルダーはホルダーＡ２の底辺部分とホルダーＢ３の底辺部分とが接している構造であるが、連結型ホルダーはこれらが接していないことを特徴としている。【００１０】  さて、以上のような構造からなる磁石８を用いた当該ホルダー１の機能について述べるが、当該一枚型ホルダー１においても当該連結型ホルダー１においてもその機能は同一であるので、当該一枚型ホルダー１を例にとって説明する。
図２の（Ａ）からも明らかなように、当該ホルダーＡ２と当該ホルダーＢ３は当該取っ手２０を持って開くことが出来る。つまり当該一枚型ホルダー１は当該ホルダーＡ２と当該ホルダーＢ３よりなる開口部分を持つことになる。
また、当該ホルダーＡ２と当該ホルダーＢ３は当該磁石８の力で密着することが出来るので、当該磁石８の力を適宜な強さにしておけば、当該ホルダーＡ２と当該ホルダーＢ３の間に置いたトイレットペーパー１４は、あたかも一時的に固定的に保持されたかのようになり、殆ど動かなくなる。
図２の（Ｂ）は、当該磁石８を用いた当該一枚型ホルダー１を便座１８へ装着した状況を示す側面図である。この図に示すように開口した当該ホルダー１の間に当該トイレットペーパー１４を置いて、当該ホルダーＢ３を矢印のようにもっていきホルダー１を閉じれば、当該トイレットペーパー１４は固定される。
当該磁石８の力を適宜な強さにしておけば、当該トイレットペーパー１４を便座１８から剥ぎ取るように持ち上げるだけで当該トイレットペーパー１４を当該ホルダー１から離す（剥ぎ取る）ことができ、当該トイレットペーパー１４を当該ホルダー１から離すために、当該取っ手２０をもって当該ホルダー１を開く必要はなくなる。ももちろん当該取っ手２０を持って当該ホルダー１を開き、当該トイレットペーパー１４を当該ホルダー１から離す（剥ぎ取る）こともできる。
いづれにしても、以上のような構造と機能で当該トイレットペーパー１４は当該便座１８から着脱自在になる。
以上のことは、連結型ホルダー１においても同様である。【００１１】  ホルダー１の構造としては、前記磁石８と前記金属片９を用いる他に、図５の（Ａ）および（Ｂ）に示すように、ホルダーＡ前面４の適宜な部分にホルダー凸部１０を、ホルダーＢ前面６で当該ホルダーＡ前面４の凸部に対向する部分にホルダー凹部１１を設け、これらの凸部と凹部が嵌合することで、トイレットペーパー１４を保持するようにすることもできる。凹凸部を用いた一枚型ホルダー１の構成分離斜視図が図５の（Ａ）で、完成斜視図が図５の（Ｂ）である。もちろんホルダーＡ前面４に凹部を設け、ホルダーＢ前面６に凸部を設けてもよい。
なお、凹凸部を用いた連結型ホルダー１も考えられるが、その構造は前記磁石８を用いた連結型ホルダー１とほぼ同一で、相違点は磁石８の代わりにホルダー凸部１０があり、金属片９の代わりにホルダー凹部１１が設けられていることである。
当該ホルダーＡ２と当該ホルダーＢ３に挟まれた当該トイレットペーパー１４は、当該ホルダー凹部１１を当該ホルダー凸部１０に嵌合させることにより当該トイレットペーパー１４を一時的に固定的に保持することができるようになる。
嵌合の強さを適宜な強さにすれば、当該トイレットペーパー１４を便座１８から剥ぎ取るように持ち上げるだけで当該トイレットペーパー１４を当該ホルダー１から離す（剥ぎ取る）ことができ、当該トイレットペーパー１４を当該ホルダー１から離すために、当該取っ手２０をもって当該ホルダー１を開く必要はなくなる。もちろん当該取っ手２０を持って当該ホルダー１を開き、当該トイレットペーパー１４を当該ホルダー１から離す（剥ぎ取る）こともできる。【００１２】  図６は留め具材としてホックを用いたホルダー１である。ホルダーＡ２およびホルダーＢ３の先端にホックＡ２１およびホックＢ２２を設けたことを構造面での特徴とするものである。
当該ホックＡ２１の外側のＵ字の角度と大きさは当該ホックＢ２２のそれと慨同じになっているので、当該ホックＢ２２は当該ホックＡ２１をすっぽりと覆うように噛合うことで、当該ホルダーＡ２と当該ホルダーＢ３はその間に挟んだトイレットペーパー１４を一時的に固定的に保持することができる。
噛合せの強さを調節することで、当該トイレットペーパー１４を便座１８から剥ぎ取るように持ち上げるだけで当該トイレットペーパー１４を当該ホルダー１から離す（剥ぎ取る）ことができ、当該トイレットペーパー１４を当該ホルダー１から離すために、当該取っ手２０をもって当該ホルダー１を開く必要はなくなる。もちろん当該取っ手２０を持って当該ホルダー１を開き、当該トイレットペーパー１４を当該ホルダー１から離す（剥ぎ取る）こともできる。【００１３】  留め具材として、粘着具剤や粘着性能を持った素材等の粘着具材を用いることもできる。図７は、留め具材に粘着具材を用いた一枚型ホルダー１の完成斜視図である。図に示すように、ホルダーＡ前面４の下端部分に粘着具材２３を設け、当該粘着具材２３の上部にガイドライン２４をひいておく。なお、当該粘着具材２３とガイドライン２４はホルダーＢ前面に設けたり、両方に設けたりしてもよいが、本稿ではホルダーＡ前面４にのみ設けたケースで論をすすめることにする。
ホルダーＢ３をホルダーＡ２に合わせた時に、ホルダーＢ３は当該ホルダーＡ前面４に設けた当該粘着具材２３によって両ホルダーＡおよびＢは密着することにより、当該ホルダーＡと当該ホルダーＢの間に挟んだトイレットペーパー１４はホルダー１に一時的に固定的に保持されることになる。なお、この時当該トイレットペーパー１４を当該粘着具材２３にかからないように挟むことを慫慂する必要がある。
以上のことより、当該ホルダーＢの素材、少なくもホルダーＢ前面６の素材は、プラスチックや紙等、粘着具材で着脱するが容易に破損しないものであることが望まれる。
また、使用する粘着具材２３は、粘着力が落ちたら当該粘着具材２３部分に付着したゴミ、この場合はトイレットペーパー１４の紙片や紙粉等を拭き取れば粘着力が復元するような素材を使用することが望ましい。粘着具材として粘着具剤を用いた場合、その粘着力が落ちたときにホルダー１自体を取り替えることは現実的でない。
粘着具材の粘着力の強さを調節することで、当該トイレットペーパー１４を便座１８から剥ぎ取るように持ち上げるだけで当該トイレットペーパー１４を当該ホルダー１から離す（剥ぎ取る）ことができ、当該トイレットペーパー１４を当該ホルダー１から離すために、当該取っ手２０をもって当該ホルダー１を開く必要はなくなる。もちろん当該取っ手２０を持って当該ホルダー１を開き、当該トイレットペーパー１４を当該ホルダー１から離す（剥ぎ取る）こともできる。
以上は請求項１について述べたものである。【００１４】  次に請求項２について述べる。
トイレットペーパー１４を一時的に固定的に保持するために二枚のホルダーで挟む方法について述べてきたが、凹部とツメを設けて当該凹部に挿入したトイレットペーパー１４をツメで一時的に固定的に保持する方法である。以後ツメホルダー３０といい以下詳述する。
図１０は凹部２７を保有するホルダーの断面図で（Ａ）はホルダーの右断面図、（Ｂ）はトイレットペーパーを装着した状態を示す右断面図、（Ｃ）は凹部にトイレットペーパーを挿入した状態を示す右断面図（Ｄ）はトイレットペーパーを凹部２７に挿入後ツメＢが元の状態に復元した状態を示す右断面図である。
図１０の（Ａ）を参照しつつ述べる。ツメＡ２５およびツメＢ２６は、弾力性を持っており、図の左から右へと凹部２７の内側方向へ指で押すと、ツメＢ２６の先端部分（図１０の（Ａ）でいえばツメＢ２６の下端）またはツメＡ２５の先端部分（同様にいえばツメＡ２５の上端部分）またはその両方が凹部２７の内側へ曲がり、ツメＡ２５の先端とツメＢ２６の先端が離れた（割れた）状態になり、その間にトイレットペーパー１４が挿入される。押さえた指を離すと両方のツメは再び両端が接するようになり、挿入されたトイレットペーパー１４は一時的に固定的に保持される。
図は省略するが、図１０の接着面２８を便座側面１９に固着させる。図１０の（Ｂ）は図２の（Ｂ）または図４の（Ｂ）で示すところのトイレットペーパー１４を折った状態に相当する。ホルダー１の左側のツメの面にトイレットペーパー１４が覆いかぶさるようになるので、トイレットペーパー１４を指で図１０の（Ｃ）のように押し込んだ後で、指を離すと両方のツメは図１０の（Ｄ）のように図１０の（Ａ）または（Ｂ）の状態に戻るので、図１０の（Ｄ）に示すように、トイレットペーパー１４はホルダー１に一時的に固定的に保持される。
両方のツメの弾力を適宜な強さにしておけば、トイレットペーパー１４の適宜なところを持って剥がせば、トイレットペーパー１４は便座１８から剥ぎ取ることが出来る。剥ぎ取ったトイレットペーパー１４はトイレに流す。
以上のことから、ホルダー１は容易に破損しないものであればその素材を特定するものではない。また形状も四角形でも丸型でもよく特定はしない。しかし、ツメの部分はプラスチックやゴムなど容易に破損せず弾力性のある素材で形成されることが望ましい。また、設けるツメの数も特定しない。【００１５】  次に請求項３について述べる。
トイレットペーパー１４を一時的に固定させるために請求項２では弾力性のある「ツメ」を用いたが、たとえばスポンジ等の弾力材を利用する方法もある。今スポンジを用いたホルダーをスポンジホルダー３８ということにする。
図１６の（Ａ）はスポンジホルダー３８の構成分離図である。容易に破損しない素材からなる適宜な大きさの箱の中に適量のスポンジ（弾力材３６）を入れ、フタ（ホルダーフタ３７）をする。スポンジホルダー３８の完成断面図が図１６の（Ｂ）である。
ホルダーフタ３７には図１７に示すように開口部３４が設けられており、スポンジホルダー３８を覆ったトイレットペーパー１４を、開口部３４に押し込むと、図１８に示すようにスポンジ（弾力材３６）に押されたトイレットペーパー１４はホルダーフタ３７との間に押されてトイレットペーパー１４は一時的に固定される。凹部２７に入れたスポンジ（弾力材３６）の量を調整することにより、トイレットペーパー１４は容易に開口部３４から離れることが出来る。すなわちトイレットペーパー１４を剥すことが出来る。このことは（００１４）で述べたツメホルダー３０と同一の効果である。【００１６】  次に請求項４について述べる。
ホルダー１は、容易に破損しないものであればプラスチックや紙、布などその素材は特定しない。また四角形や丸型などと形状や大きさも特定しない。
ホルダー１の片側には粘着具材２３を塗布または貼り付けておく。ホルダー１の接着面２８を便座側面１９に固着させる。図２の（Ｂ）または図４の（Ｂ）の状態、すなわちトイレットペーパー１４は図１２で示す粘着具材２３部分をカバーするように折り曲げ、折り曲げた当該トイレットペーパー１４を粘着具材２３に押し付けるようにして貼り付けると、当該トイレットペーパー１４を一時的に固定的に保持することができる。用が済んだら当該トイレットペーパー１４の適宜なところを持って剥がすようにして当該トイレットペーパー１４を便座１８から剥がすことができる。剥ぎ取った当該トイレットペーパー１４はトイレに流す。
以上のことから、粘着具材２３の粘着力はあまりに強力なものは使用しない。また粘着具材２３部分に当該トイレットペーパー１４の紙粉が残留し粘着力を低下させる可能性もあるので、紙粉等が付着したら拭き取れば再度粘着力が復元するような粘着具材を使用することが望ましい。
なお（００１３）でも粘着具材を用いたホルダーについて述べているが、（００１３）のホルダーは、ホルダーＡ２とホルダーＢ３の二枚のホルダーでトイレットペーパーを挟む方式のであったが、本稿は挟むことはせず、粘着具材に直接トイレットペーパーを粘着させる方式である。挟むか挟まないかの点で機能と構造面が相違する。【００１７】  次に請求項５に関して述べる。
請求項２の凹部を有するホルダーを便座の外側の側面に固着させることについては（００１４）で述べたが、凹部を有するホルダーを便座上面１３に嵌入させる方法で便座上面１３に嵌着させる方法がある。
ここでの凹部を有するホルダーの構造や素材は（００１４）に記載したものと変化はないが、以後ツメ２５およびツメ２６を有するため、ツメホルダー３０ということにする。
図１３の（Ａ）はツメホルダー３０の斜視図で（Ｂ）は正面断面図である。記述のようにツメホルダー３０の形状は特定しないが、理解を深めるため図の形状に従って述べることにする。なお、ツメの数は２枚に限定するのではなく、２枚以上であってもよい。
ツメホルダー３０を便座上面１３に固着させることにより後述する効果を得ることも出来るが、ここでは図１４に示すように便座１８に嵌入させる方法について述べる。
便座１８の適宜な場所にツメホルダー３０の大きさと概同じ大きさの挿入口３３用の穴を設け、ツメホルダー３０のツメＡ２５と便座上面１３が平行になるようにツメホルダー３０を便座１８に嵌入させる方法で便座１８に嵌着させる。このことにより便座１８に座った際にはほとんど異物感を持たなくなる。
なお、図１５の（Ｂ）に示すように、ツメホルダー３０は便座１８の左右に合計４個程度固着させることが望ましいが、固着させる数を特定するものではない。
便座１８を覆うようにトイレットペーパー１４を便座の上に置き、ツメホルダー３０のところを上から押すようにトイレットペーパー１４をツメホルダー３０の中に押し込めば、トイレットペーパー１４は、一時的に便座上面１３に固定されることは（００１４）でも述べたとおりである。【００１８】  最後に請求項６に関して述べる。
トイレットペーパー１４を一時的に固定させるために弾力性のある「ツメ」を用いる方法を上述したが、たとえばスポンジ等の弾力材を利用する方法もある。今スポンジを用いたホルダーをスポンジホルダー３８ということにする。
図１６の（Ａ）はスポンジホルダー３８の構成分離図である。容易に破損しない素材からなる適宜な大きさの箱の中に適量のスポンジ（弾力材３６）を入れ、フタ（ホルダーフタ３７）をする。スポンジホルダー３８の完成断面図が図１６の（Ｂ）である。
ホルダーフタ３７には図１７に示すように開口部３４が設けられており、スポンジホルダー３８を覆ったトイレットペーパー１４を、開口部３４に押し込むと、図１８に示すようにスポンジ（弾力材３６）に押されたトイレットペーパー１４はホルダーフタ３７との間に押されてトイレットペーパー１４は一時的に固定される。凹部２７に入れたスポンジ（弾力材３６）の量を調整することにより、トイレットペーパー１４は容易に開口部３４から離れることが出来る。すなわちトイレットペーパー１４を剥すことが出来る。このことは（００１７）で述べたツメホルダー３０と同一の効果である。
スポンジホルダー３８は、（００１７）で述べたと同様の方法で便座１８に嵌入させ嵌着させる。
なお、（００１７）及び（００１８）でツメホルダー３０やスポンジホルダー３８を便座上面１３に嵌入させ嵌着させる方法を述べてきたが、接着剤等で接着してもよい。
【発明の効果】
【００１９】  洋式トイレに座って用をたす時に便座に肌が直接触れるのであるが、自宅のトイレならともかく、公共的な場所など不特定多数が利用するトイレにおいては、他人の肌が触れた便座に自分の肌を触れさすのに抵抗感が強い。
このため、便座の形に形成したいわゆる便座シートを便座においたり、除菌クリーナーで便座を拭いてから使用することが一般的になっている。このためには、いわゆる便座シートや除菌クリーナーを別途備え置く必要があり、補充に気を使う必要がたった。
さらに、便座シートは折りたたんで保管されていることが一般的で、ケースから取り出し、便座に上にそれがずり落ちないように置く、などと結構面倒な作業を伴っている。
除菌クリーナーも、わざわざ紙にクリーナーを取り便座を拭く必要があり、クリーナーはジェル状のものが多く、たとえ便座を拭いても直接肌を便座に触れさせることには変わりなく、拭いた後は便座が濡れていたり冷たかったりと不快感を覚えることがある。
上述したように、提供者側からはこれらの手段をわざわざ補充する必要があり、利用者側からは、時に補充がなされていないこともあり、不快感を持つこともある。【００２０】  トイレットペーパーは殆どのトイレで提供者側が準備しておくようになった。つまり、トイレットペーパーの補充は「わざわざ補充」するのではなく、もはや当然のこととなっている。トイレットペーパーは必ず備え付けてある、とみてもよい。
本発明は、このトイレットペーパーをいわゆる便座シートとして利用する手段を提供するものである。備え付けのトイレットペーパーを適宜な長さに切り、便座の上に置き、これがずり落ちないようにホルダーで押さえ、使用後は当該トイレットペーパーの適宜な所もって剥がし、水に流す、という一連の動作においては無理なものはなく極めて自然に行える動きであり、これにより便座に直接肌を触れさせるということはなくなる。
繰り返すが、本発明によりいわゆる便座シートという「特別」なものを準備したり備え置く必要性はなくなる。もちろん、除菌クリーナー等も備え置く必要はなくなる。これらのもののコストはトイレットペーパー以上である。すなわち、本発明による方法は利便性、快適性、使用方法の簡便性に加え、低コストと言うメリットがある。【００２１】  また、本発明のホルダーは、トイレットペーパーのみを一時的に固定的に保持するものではないので、仮にトイレットペーパーが備え置いてない場合には、持参のティッシュー（紙片）などをトイレットペーパーの代わりとすればよい。
以上のように、本発明により、従来の不便さは解決することが出来る。
【発明を実施するための最良の形態】
【００２２】  本発明の機能と構造については（０００７）から（００１８）で詳述しているので以後使用方法を中心に述べてゆくことにする。
まず請求項１の一枚型ホルダーや連結型ホルダーと称した開閉型のホルダー１に関して述べる。
ホルダーＡ背面５を図８に示すように便座１８の外側の側面に接着剤等で装着する。なお装着するホルダー１の数は左右に１個ずつでも２個等の複数個でもよく個数を特定するものではないが、１個または２個で十分である。
トイレットペーパー１４を図９に示すように便座上面１３に置き、トイレットペーパー１４を磁石８やホルダー凸部１０やホックＡ２１に届くように下の方へ折り込む。折り込んだ状態を代表的に示した斜視図が図２の（Ｂ）または図４の（Ｂ）である。
次にホルダーＢ前面６をホルダーＡ前面４にあわせるようにすると、トイレットペーパー１４はホルダーＡとホルダーＢに挟まれるので、トイレットペーパー１４は一時的に便座上面１３に保持される。
なお、粘着具財２３を用いてトイレットペーパー１４を保持する場合は、図７に示す粘着着具材２３より下に折り込んだトイレットペーパー１４がこないようにする。
次に、保持されたトイレットペーパー１４の上に座り用を足す。
トイレ使用後は、トイレットペーパー１４の適宜な部分を持ってトイレットペーパー１４を便座１８から剥すように持ち上げれば、トイレットペーパー１４は便座１８から離れるので、トイレットペーパー１４はトイレに流す。【００２３】  次に請求項２及び請求項３に関してある。
図１１に示すような凹部２７とツメ２９を有するツメホルダーに関して述べる。なおスポンジホルダー３８を便座１８の外側の側面に装着してもよく、その使用方法等はツメホルダーに関するものと同一であるので、別々に述べるのではなく、ツメホルダーで代表して述べることにする。
上記開閉型のホルダー１と同様にツメホルダー３０を便座１８の外側の側面に接着剤等で装着する。なお装着するホルダー１の数は左右に１個ずつでも２個等の複数個でもよく個数を特定するものではないが、１個または２個で十分である。図８は開閉型ホルダー１の装着状況を示す斜視図であるが、開閉型ホルダーの代わりにツメホルダー３０を装着すれば、装着後の図は図８と同様になる。
トイレットペーパー１４を図９に示すように便座上面１３に置き、トイレットペーパー１４をツメに届くように下の方に折りこむ。次に折り込んだトイレットペーパー１４をツメの上から凹部２７の中に押し込むと、トイレットペーパー１４は一時的に便座上に保持される。
次に、保持されたトイレットペーパー１４の上に座り用を足す。
トイレ使用後は、トイレットペーパー１４の適宜な部分を持ってトイレットペーパー１４を便座１８から剥すように持ち上げれば、トイレットペーパー１４は便座１８から離れるので、トイレットペーパー１４はトイレに流す。【００２４】  三つ目は請求項４の粘着具材を有するホルダーについてである。
図１２に示すような粘着具材２３を有するホルダー１の接着面２８を便座１８の外側の側面に接着剤等で装着する。なお装着するホルダー１の数は左右に１個ずつでも２個等の複数個でもよく個数を特定するものではないが、１個または２個で十分である。
図８は開閉型ホルダー１の装着状況を示す斜視図であるが、開閉型ホルダーの代わりに粘着具材２３を有するホルダーを装着すれば、装着後の図は図８と同様になる。
トイレットペーパー１４を図９に示すように便座上面１３に置き、トイレットペーパー１４を粘着具材２３に届くように下の方に折りこむ。次に折り込んだトイレットペーパー１４を粘着具材２３の上から貼り付けると、トイレットペーパー１４は一時的に便座上面１３に保持される。なお、粘着具材２３の粘着力が落ちてきたら、粘着具材２３に付着した紙粉等を拭き取るなどして粘着力を回復させる。
次に、保持されたトイレットペーパー１４の上に座り用を足す。
トイレ使用後は、トイレットペーパー１４の適宜な部分を持ってトイレットペーパー１４を便座１８から剥すように持ち上げれば、トイレットペーパー１４は便座１８から離れるので、トイレットペーパー１４はトイレに流す。【００２５】  四つ目は請求項４及び請求項５に関してある。
便座の外側の側面ではなく便座の上面にホルダーを嵌入させることにより嵌着させるツメホルダー３０に関して述べる。本件は（００２３）で述べた凹部を有するホルダーの装着方法を変化させたものである。なおスポンジホルダー３８を便座上面１３に嵌入させることにより嵌着させてもよく、その使用方法等はツメホルダー３０に関するものと同一であるので、別々に述べるのではなく、ツメホルダーで代表して述べることにする。
ツメホルダーは図１５に示すように便座上面１３に固着または嵌着させてある。固着または嵌着させる個数は限定しないが、図１５（Ｂ）のように４個が望ましい。
図９に示すように便座上面１３にトイレットペーパー１４を置き、ツメホルダー３０の凹部２７にトイレットペーパー１４を押し込むと、ツメ（またはスポンジ等の弾力材）の反発力で、トイレットペーパー１４はツメにひっかかるようにして便座上面１３に一時的に固定される。
次に、保持されたトイレットペーパー１４の上に座り用を足す。
トイレ使用後は、トイレットペーパー１４の適宜な部分を持ってトイレットペーパー１４を便座上面１３から剥すように持ち上げれば、トイレットペーパー１４は便座上面１３から離れるので、トイレットペーパー１４はトイレに流す。
【図面の簡単な説明】
【００２６】
【図１】磁石を用いた一枚型ホルダーの（Ａ）は構成分離斜視図で、（Ｂ）は完成斜視図
【図２】磁石を用いた一枚型ホルダーの（Ａ）は側面図で、（Ｂ）は便座へ装着し使用状況を示す側面図
【図３】磁石を用いた連結型ホルダーの（Ａ）は構成分離斜視図で、（Ｂ）は完成斜視図
【図４】磁石を用いた連結型ホルダーの（Ａ）は側面図で、（Ｂ）は便座へ装着し使用状況を示す側面図
【図５】凹凸部を用いた一枚型ホルダーの（Ａ）は構成分離斜視図で、（Ｂ）は完成斜視図
【図６】ホックを用いた一枚型ホルダーの完成斜視図
【図７】粘着具材を用いた一枚型ホルダーの完成斜視図
【図８】磁石を用いた一枚型ホルダーを便座側面へ装着した状況を示す斜視図
【図９】便座上面へトイレットペーパーを（Ａ）装着する状況を示す分離斜視図で、（Ｂ）は装着状況を示す上面図
【図１０】凹部を保有するホルダーの断面図で（ａ）はホルダーの右断面図、（ｂ）はトイレットペーパーを装着した状態を示す右断面図、（ｃ）は凹部にトイレットペーパーを挿入した状態を示す右断面図（ｄ）はトイレットペーパーを凹部に挿入後ツメＢが元の状態に復元した状態を示す右断面図
【図１１】凹部を有するホルダーの斜視図
【図１２】粘着具材部を有する一枚型ホルダー
【図１３】凹部を有するツメホルダーの（Ａ）は斜視図で（Ｂ）は正面断面図
【図１４】ツメホルダーを便座上面へ嵌入する状態を示す正面断面図
【図１５】便座上面に嵌入したツメホルダーの（Ａ）はその一つの拡大図で（Ｂ）は便座上に４個嵌入した場合を示す上面図
【図１６】スポンジホルダーの構成を示す図で（Ａ）は正面断面図（Ｂ）は完成したスポンジホルダーの正面断面図
【図１７】スポンジホルダーの斜視図
【図１８】スポンジホルダーの使用状況を示す斜視図
【符号の簡単な説明】
【００２７】１    ホルダー              １５  ミシン目            ２９  ツメ
２    ホルダーＡ            １６  便器                ３０  ツメホルダー
３    ホルダーＢ            １７  便器蓋              ３１  便座外側
４    ホルダーＡ前面        １８  便座                ３２  便座内側
５    ホルダーＡ背面        １９  便座側面            ３３  挿入口
６    ホルダーＢ前面        ２０  取っ手              ３４  開口部
７    ホルダーＢ背面        ２１  ホックＡ            ３５  ホルダー箱
８    磁石                  ２２  ホックＢ            ３６  弾力材
９    金属片                ２３  粘着具材            ３７  ホルダーフタ
１０  ホルダー凸部          ２４  ガイドライン        ３８  スポンジホルダー
１１  ホルダー凹部          ２５  ツメＡ
１２  ベルト                ２６  ツメＢ
１３  便座上面              ２７  凹部
１４  トイレットペーパー    ２８  接着面
【図１】
2008029807.tif 000003
【図２】
2008029807.tif 000004
【図３】
2008029807.tif 000005
【図４】
2008029807.tif 000006
【図５】
2008029807.tif 000007
【図６】
2008029807.tif 000008
【図７】
2008029807.tif 000009
【図８】
2008029807.tif 000010
【図９】
2008029807.tif 000011
【図１０】
2008029807.tif 000012
【図１１】
2008029807.tif 000013
【図１２】
2008029807.tif 000014
【図１３】
2008029807.tif 000015
【図１４】
2008029807.tif 000016
【図１５】
2008029807.tif 000017
【図１６】
2008029807.tif 000018
【図１７】
2008029807.tif 000019
【図１８】
2008029807.tif 000020
【手続補正書】
【提出日】平成19年2月6日(2007.2.6)
【手続補正１】
【補正対象書類名】特許請求の範囲
【補正対象項目名】請求項５
【補正方法】変更
【補正の内容】
【請求項５】
紙片等を挿入できる凹部とツメから構成されるホルダーで、前記凹部に挿入した紙片等が着脱自在になる前記ホルダーを、あらかじめ便座上面もしくは便座の外側の側面に嵌着等の方法で、装着した便座。
【手続補正２】
【補正対象書類名】特許請求の範囲
【補正対象項目名】請求項６
【補正方法】変更
【補正の内容】
【請求項６】
紙片等を挿入できる凹部と凹部に挿入した弾力材から構成されるホルダーで、前記凹部に挿入した紙片等が着脱自在になる前記ホルダーを、あらかじめ便座上面もしくは便座の外側の側面に嵌着等の方法で、装着した便座。
【手続補正３】
【補正対象書類名】明細書
【補正対象項目名】００１７
【補正方法】変更
【補正の内容】
【００１７】  次に請求項５に関して述べる。
請求項２の凹部を有するホルダーを便座の外側の側面に固着させることについては（００１４）で述べたが、凹部を有するホルダーを便座上面１３に嵌入させる方法で便座上面１３に嵌着させる方法がある。
もしくは便座の外側の側面１９に嵌入させる方法で嵌着させる方法がある。方法や効果は同一なため、ここでは便座上面１３に嵌着させる方法について述べる。なお、便座の外側の側面１９に嵌入させる方法で嵌着させる方法についての図は省略する。
ここでの凹部を有するホルダーの構造や素材は（００１４）に記載したものと変化はないが、以後ツメ２５およびツメ２６を有するため、ツメホルダー３０ということにする。
図１３の（Ａ）はツメホルダー３０の斜視図で（Ｂ）は正面断面図である。記述のようにツメホルダー３０の形状は特定しないが、理解を深めるため図の形状に従って述べることにする。なお、ツメの数は２枚に限定するのではなく、２枚以上であってもよい。
ツメホルダー３０を便座上面１３に固着させることにより後述する効果を得ることも出来るが、ここでは図１４に示すように便座１８に嵌入させる方法について述べる。
便座１８の適宜な場所にツメホルダー３０の大きさと概同じ大きさの挿入口３３用の穴を設け、ツメホルダー３０のツメＡ２５と便座上面１３が平行になるようにツメホルダー３０を便座１８に嵌入させる方法で便座１８に嵌着させる。このことにより便座１８に座った際にはほとんど異物感を持たなくなる。
なお、図１５の（Ｂ）に示すように、ツメホルダー３０は便座１８の左右に合計４個程度固着させることが望ましいが、固着させる数を特定するものではない。
便座１８を覆うようにトイレットペーパー１４を便座の上に置き、ツメホルダー３０のところを上から押すようにトイレットペーパー１４をツメホルダー３０の中に押し込めば、トイレットペーパー１４は、一時的に便座上面１３に固定されることは（００１４）でも述べたとおりである。
【手続補正４】
【補正対象書類名】明細書
【補正対象項目名】００１８
【補正方法】変更
【補正の内容】
【００１８】  最後に請求項６に関して述べる。
トイレットペーパー１４を一時的に固定させるために弾力性のある「ツメ」を用いる方法を上述したが、たとえばスポンジ等の弾力材を利用する方法もある。今スポンジを用いたホルダーをスポンジホルダー３８ということにする。
図１６の（Ａ）はスポンジホルダー３８の構成分離図である。容易に破損しない素材からなる適宜な大きさの箱の中に適量のスポンジ（弾力材３６）を入れ、フタ（ホルダーフタ３７）をする。スポンジホルダー３８の完成断面図が図１６の（Ｂ）である。
ホルダーフタ３７には図１７に示すように開口部３４が設けられており、スポンジホルダー３８を覆ったトイレットペーパー１４を、開口部３４に押し込むと、図１８に示すようにスポンジ（弾力材３６）に押されたトイレットペーパー１４はホルダーフタ３７との間に押されてトイレットペーパー１４は一時的に固定される。凹部２７に入れたスポンジ（弾力材３６）の量を調整することにより、トイレットペーパー１４は容易に開口部３４から離れることが出来る。すなわちトイレットペーパー１４を剥すことが出来る。このことは（００１７）で述べたツメホルダー３０と同一の効果である。
スポンジホルダー３８は、（００１７）で述べたと同様の方法で便座１８に嵌入させ嵌着させる。
なお、（００１７）及び（００１８）でツメホルダー３０やスポンジホルダー３８を便座上面１３もしくは便座の外側の側面１９に嵌入させ嵌着させる方法を述べてきたが、接着剤等で接着してもよい。